(57)【要約】      （修正有）【課題】爪の飛散を防止するとともに、いろいろな用途に応用できるカセット交換式の爪切りを提供する。【解決手段】爪切りは、一端に上刃１を有する上部ばね板７と一端に下刃２を有する下部ばね板８を有し、上部ばね板と下部ばね板の他の一端は結合され、下部ばね板の下刃側の両側面に支え柱３を有し、支え柱の上部には支点軸穴６を設け、レバー４の支点軸５を支点軸穴に挿入固定して構成した。また上部ばね板と下部ばね板の間に上刃と下刃を有するカセット体を挿入固定し、レバーの動作により線材等を切断できるように構成した。【選択図】図１
0003193505.tif 000002
【実用新案登録請求の範囲】
【請求項１】
一端に上刃１を有する上部ばね板７と一端に下刃２を有する下部ばね板８を有し、上部ばね板７と下部ばね板８の他の一端は結合され、下部ばね板８の下刃２側の両側面に支え柱３を有し、支え柱３の上部には支点軸穴６を設け、先端に支点軸５を有するレバー４の支点軸５を支点軸穴６に挿入固定して構成したことを特徴とする柱のない爪切り。
【請求項２】
上部ばね板７と下部ばね板８を有し、上部ばね板７と下部ばね板８の他の一端は結合され、下部ばね板８の他の一端側の両側面に支え柱３を有し、支え柱３の上部には支点軸穴６を設け、先端に支点軸５を有するレバー４の支点軸５を支点軸穴６に挿入固定し、上部ばね板７と下部ばね板８の間に挿入して固定しするレバー４の動作による動作するカセット体９を設けて構成したことを特徴とする柱のない爪切り。
【考案の詳細な説明】
【技術分野】
【０００１】  本考案は、従来の爪切りの刃先部に有している、爪切りのばね板を案内している柱をなくして、爪の飛散防止を実現する他、いろいろな用途に応用できるカセット交換式の爪切りの構造に関するものである。
【背景技術】
【０００２】  図５は従来の爪切りの斜視図でありその構造を説明すると、先端に上刃１を有する上部ばね板７と下刃２を有する下部ばね板８を有し、上部ばね板７と下部ばね板８の一端は結合されてばね性を有し、上部ばね板７の上刃１と下部ばね板８の下刃２は柱１２で案内され、レバー４の動作により上刃１が上下に動いて爪を切る構造である。
【考案の開示】
【考案が解決しようとする課題】
【０００３】  従来の爪切りでは、上刃１と下刃２により切った爪は柱１２にぶつかって左右に飛び散り、爪切りの外部に飛び出してしまうといった課題があった。【０００４】  また、従来の爪切りでは用途が爪を切ることのみであり、爪切り以外の他の用途には使用できないといった課題があった。
【課題を解決するための手段】
【０００５】  本考案の柱のない爪切りは、一端に上刃１を有する上部ばね板７と一端に下刃２を有する下部ばね板８を有し、上部ばね板７と下部ばね板８の他の一端は結合され、下部ばね板８の下刃２側の両側面に支え柱３を有し、支え柱３の上部には支点軸穴６を設け、先端に支点軸５を有するレバー４の支点軸５を支点軸穴６に挿入固定して構成したことを特徴とする。【０００６】  また、上部ばね板７と下部ばね板８を有し、上部ばね板７と下部ばね板８の他の一端は結合され、下部ばね板８の他の一端側の両側面に支え柱３を有し、支え柱３の上部には支点軸穴６を設け、先端に支点軸５を有するレバー４の支点軸５を支点軸穴６に挿入固定し、上部ばね板７と下部ばね板８の間に挿入して固定しするレバー４の動作による動作するカセット体９を設けて構成したことを特徴とする。
【考案の効果】
【０００７】  本考案の柱のない爪切りでは、上部ばね板７と下部ばね板８の上下動を案内する柱１２の代わりに、下部ばね板８の下刃２側の両側面に設けられた支え柱３により上部ばね板７と下部ばね板８を案内する構造なので、切った爪は下部ばね板８の下刃２側の両側面に設けられた支え柱３に当たって爪切りの内部に残るので、爪が爪切りの外部に飛び出ないといった効果を有する。【０００８】  また、カセット体９を設けてカセット体９を交換容易とすることで、様々な用途用に製作されたカセット体９を使用することで、爪切り以外の用途にも使用できるといった効果を有する。
【考案を実施するための最良の形態】
【０００９】  以下、本考案の実施の形態を図１〜図４に基づいて説明する。【００１０】  図１は柱のない爪切りの側面図、図２は柱のない爪切りの上面図、図３はカセット方式による柱のない爪切りの側面図、図４はカセットの別の形態斜視図である。【００１１】  本考案の柱のない爪切りの構造を説明する。【００１２】  本考案の柱のない爪切りは、一端に爪を切る上刃１を有する上部ばね板７と一端に爪を切る下刃２を有する下部ばね板８を有し、上部ばね板７と下部ばね板８の他の一端は上刃１と下刃２に数ｍｍ程度の適当な間隔が開くように結合され、上部ばね板７と下部ばね板８はばね性を有している。【００１３】  下部ばね板８の下刃２側の両側面には支え柱３を有し、両側面の支え柱３の上部には支点軸穴６を設けている。【００１４】  先端の両側に支点軸５を有するレバー４を設け、レバー４の先端両側の支点軸５を下部ばね板８の両側面に設けられた支え柱３の支点軸穴６に挿入固定し、レバー４により上部ばね板７を上下に動作して爪を切ることができる柱のない爪切りを構成している【００１５】  また別の柱のない爪切りの構造として、Ｖ字状に開いた上部ばね板７と下部ばね板８を有し、上部ばね板７と下部ばね板８の他の一端は上部ばね板７と下部ばね板８がばね性を有するように結合されている。【００１６】  下部ばね板８の他の一端側の両側面に支え柱３を有し、両側面の支え柱３の上部には支点軸穴６を設けている。【００１７】  先端に支点軸５を有するレバー４を設け、レバー４の先端両側の支点軸５を下部ばね板８の両側面に設けられた支え柱３の支点軸穴６に挿入固定し、別に用意されたカセット体９を上部ばね板７と下部ばね板８の間に挿入して固定し、レバー４の動作によりカセット体９が動作するように柱のない爪切りを構成している。【００１８】  本考案の柱のない爪切りの使用方法を説明する。【００１９】  本考案の柱のない爪切りの使用方法は、上刃１と下刃２の間に指の爪を挿入し、レバー４を押し下げることにより上刃１と下刃２による切断作用により指の爪を切ることができるのである。【００２０】  この時、切り取られた指の爪は下部ばね板８の両側面に設けられた支え柱３に当たって爪切りの内部に残るので、爪が爪切りの外部に飛び出ないのである。【００２１】  また別の柱のない爪切りの使用方法は、Ｖ字状に開いた上部ばね板７と下部ばね板８の間にＶ字状でばね性を有するカセット体９を挿入して使用する。【００２２】  カセット体９は下部ばね板８の両側面に設けられた支え柱３により案内されて上部ばね板７と下部ばね板８の間に挿入され固定されるが、固定の方法はカセット体９を弱めに磁化させて磁力により固定したり、カセット体９を上部ばね板７と下部ばね板８の間にカセット体９を強めに挿入することで固定すれば良い。【００２３】  図４はカセット体９の先端部を金属製のリード線等による線状体１１を切り取るカッターとして製作した例で、長い線状体１１でも切り取れるようにカセット体９の後部には後穴部１０を設けている。【００２４】  このように、先端部を子どもの小さな爪用に小さく加工したり、カッター等の必要な形状に加工したカセット体９を必要数用意することで爪切り以外の用途にも使用できる���のない爪切りを提供することができるのである。
【図面の簡単な説明】
【００２５】
【図１】：柱のない爪切りの側面図。
【図２】：柱のない爪切りの上面図。
【図３】：カセット方式による柱のない爪切りの側面図。
【図４】：カセットの別の形態斜視図。
【図５】：従来の爪切りの斜視図。
【符号の説明】
【００２６】  １  上刃
２  下刃
３  支え柱
４  レバー
５  支点軸
６  支点軸穴
７  上部ばね板
８  下部ばね板
９  カセット体
１０  後穴部
１１  線状体
１２  柱
【図１】
0003193505.tif 000003
【図２】
0003193505.tif 000004
【図３】
0003193505.tif 000005
【図４】
0003193505.tif 000006
【図５】
0003193505.tif 000007